(57)【要約】【課題】通気性が妨げられず、柔らかく、体液の広がりを検知することができる着用物品を提供すること。【解決手段】着用物品１００Ａは、電極間のインピーダンス変化に基づいて体液の広がりを検知する着用物品である。電極群ＥＴは、着用物品１００Ａを構成する複数のシートの内の１枚のシート表面に形成されている。電極群ＥＴは、体液が広がったときに相互に絶縁された状態を維持するとともに相互に導線を介して接続された少なくとも２つの電極群からなる。電極群は、前記１枚のシートに、導電材料を塗布して形成されている。【選択図】図２
2018038877.tif 000002
【特許請求の範囲】
【請求項１】
複数の電極群間のインピーダンス変化に基づいて体液の広がりを検知する着用物品であって、
前記電極群は、前記着用物品を構成する複数のシートの内の１枚のシート表面に形成され、体液が広がったときに相互に絶縁された状態を維持するとともに相互に導線を介して接続された少なくとも２つの電極からなり、
前記電極は、前記１枚のシートに、導電材料を塗布して形成されている着用物品。
【請求項２】
前記電極群は、電子機器に接続するための端子にそれぞれ接続されている請求項１に記載の着用物品。
【請求項３】
前記導線は、前記１枚のシートに、導電材料を塗布して形成されている請求項１又は２に記載の着用物品。
【請求項４】
前記電極の導電材料と前記導線の導電材料とが同一である請求項２〜３の何れか1項に記載の着用物品。
【請求項５】
前記導電材料は、カーボン粉末を主成分とする請求項１〜４の何れか1項に記載の着用物品。
【請求項６】
前記着用物品は、液透過性の表面シート、液難透過性の裏面シート、これら両シート間に配された吸収体を有する吸収性本体を備え、
前記１枚のシートは、前記裏面シートであり、
前記電極は、前記裏面シートの非肌対向面に形成されている請求項１〜５の何れか１項に記載の着用物品。
【請求項７】
前記着用物品は、液透過性の表面シート、液難透過性の裏面シート、これら両シート間に配された吸収体を有する吸収性本体を備え、
前記１枚のシートは、前記裏面シートよりも非肌対向面側に配される別シートであり、
前記電極は、該別シートの一面に形成されている請求項１〜５の何れか１項に記載の着用物品。
【請求項８】
前記着用物品は、前記吸収性本体を有する吸収性物品を備え、
前記別シートは、前記吸収性物品の前記裏面シートよりも非肌対向面側に配される該吸収性物品とは別体のシートである請求項７に記載の着用物品。
【請求項９】
前記吸収性物品は、尿とりパッドであり、
前記別シートは、前記尿とりパッドの非肌対向面側に配される使い捨ておむつの構成シート、或いは該使い捨ておむつと前記尿とりパッドとの間に配される別個独立したシートである請求項７又は８に記載の着用物品。
【請求項１０】
前記導線は、シート表面に形成された下部絶縁層の範囲内に塗布された前記導電材料からなり、該導線を覆うように上部絶縁層が形成されている請求項１〜９の何れか１項に記載の着用物品。
【請求項１１】
前記電極は、シートの表面に形成された下部絶縁層の範囲内に塗布された前記導電材料からなり、該導電材料を覆うように上部絶縁層が形成されている請求項１〜９の何れか１項に記載の着用物品。
【請求項１２】
前記上部絶縁層および下部絶縁層は、絶縁性インクからなる請求項１０又は１１に記載の着用物品。
【発明の詳細な説明】
【技術分野】
【０００１】
本発明は、成人用又は乳幼児用の着用物品に関する。
【背景技術】
【０００２】
従来より、排尿等を検知するセンサーを備え、例えば介護者が被介護者の排尿の有無を検知可能な成人用の使い捨ておむつが知られている（特許文献１，２）。特許文献１に記載の使い捨ておむつは、一対の電極が、導電性を有する糊をインクとしてグラビア印刷により形成された水分センサーを備えている。また、特許文献２に記載の使い捨ておむつは、複数の電極を列置した電極列を複数列備え、複数の電極間のインピーダンス変化に基づいて排尿を検知する検知装置を備えている。
【先行技術文献】
【特許文献】
【０００３】
【特許文献１】特開２０１２-２２３３８６号公報
【特許文献２】特開２０１３-３９１５８号公報
【発明の概要】
【発明が解決しようとする課題】
【０００４】
特許文献１に記載の使い捨ておむつは、一対の電極が導電性を有する糊をインクとして、シートに印刷を施すことにより形成されているので、柔らかく、また、耐腐食性に優れ、電極表面に防錆処理が不要なため、導電性が妨げられ難く、確実な排尿検出が期待できる。
【０００５】
しかし、特許文献１に記載の使い捨ておむつの備える水分センサーは、排尿の有無だけを検知するセンサーであり、排尿量等を高精度に測定するセンサーではなかった。
【０００６】
それに対し、特許文献２に記載の使い捨ておむつの備える検知装置は、排尿量等を高精度に測定することができ、尿の広がりも検知できる。しかし、特許文献２には、検知装置の備える複数の電極として絶縁体であるフィルム表面に電極を配置したものの記載はあるが、電極についてはどのような材料で、どのようにして形成されているかについて具体的に記載されていない。
【０００７】
したがって本発明は、前述した従来技術が有する欠点を解消し得る着用物品を提供することにある。
【課題を解決するための手段】
【０００８】
本発明は、複数の電極群間のインピーダンス変化に基づいて尿等の体液の広がりを検知する着用物品であって、前記電極群は、前記着用物品を構成する複数のシートの内の１枚のシート表面に形成され、体液が広がったときに相互に絶縁された状態を維持するとともに相互に導線を介して接続された少なくとも２つの電極からなり、前記電極は、前記１枚のシートに、導電材料を塗布して形成されている着用物品を提供するものである。
【発明の効果】
【０００９】
本発明によれば、通気性が妨げられず、柔らかく、体液の広がりを高精度に測定することができる。
【図面の簡単な説明】
【００１０】
【図１】本発明の第１実施形態である着用物品の斜視図である。
【図２】図２は、図１に示す着用物品を伸長させ尿とりパッドを除いて別シートを露わにした状態を肌対向面側から見た一部破断平面図である。
【図３】図３は、図２のＩＩＩ−ＩＩＩ線断面図である。
【図４】図４は、図３に示す別シートの拡大断面図である。
【図５】図５は、データ収集手段の詳細な構成例を示すブロック図である。
【図６】図６は、情報処理手段の詳細な構成例を示すブロック図である。
【図７】図７は、本発明の第２実施形態である着用物品の斜視図である。
【図８】図８は、図７に示す着用物品を伸長させた状態を非肌対向面側から見た一部破断平面図である。
【図９】図９は、図８のＩＸ−ＩＸ線断面図である。
【発明を実施するための形態】
【００１１】
以下、本発明の着用物品を、その好ましい第１実施形態に基づき図面を参照しながら説明する。
本発明の着用物品は、電極間のインピーダンス変化に基づいて体液の広がりを検知するものである。本発明の好ましい第１実施形態の着用物品１００Ａ（以下、「着用物品１００Ａ」ともいう。）は、図１に示すように、縦長の吸収体４を有する吸収性本体５を備えた尿とりパッド１０（吸収性物品）と、尿とりパッド１０の非肌対向面側に配される使い捨ておむつ３０と、使い捨ておむつ３０と尿とりパッド１０との間に配される別個独立した別シート２０とを備えている。
【００１２】
図１に示すように、着用物品１００Ａは、腹側領域Ａ、背側領域Ｂ及び股下領域Ｃに区分できる。ここで、腹側領域Ａは装着時に装着者の腹側に位置する部位であり、背側領域Ｂは装着時に装着者の背側に位置する部位であり、股下領域Ｃは腹側領域Ａと背側領域Ｂとの間に配される部位である。
図に示す「Ｙ方向」は、腹側領域Ａから背側領域Ｂへ、或いは背側領域Ｂから腹側領域Ａへ延びる方向であり、尿とりパッド１０、別シート２０又は使い捨ておむつ３０の長手方向と同じ方向でもある。また図に示す「Ｘ方向」は、Ｙ方向に直交する方向であり、尿とりパッド１０、別シート２０又は使い捨ておむつ３０の幅方向と同じ方向でもある。また図に示す「Ｚ方向」は、尿とりパッド１０、別シート２０又は使い捨ておむつ３０の厚みと同じ方向でもある。
また、本明細書において、「肌対向面」とは、例えば尿とりパッド１０を構成する後述する表面シート２などの各部材の表裏両面のうち、着用時に着用者の肌側に配される面であり、「非肌対向面」とは、例えば尿とりパッド１０を構成する後述する表面シート２などの各部材の表裏両面のうち、着用時に着用者の肌側とは反対側に向けられる面である。
さらにまた、図に示す線ＣＬは、尿とりパッド１０、別シート２０又は使い捨ておむつ３０の長手方向（Ｙ方向）に延びる中心線である。
【００１３】
第１実施形態の着用物品１００Ａの尿とりパッド１０は、肌対向面側に配された液透過性の表面シート２と、非肌対向面側に配された液難透過性の裏面シート３と、これら両シート２，３間に配された吸収体４とを有する縦長の吸収性本体５を備えている。尿とりパッド１０について詳述すると、表面シート２、裏面シート３及び吸収体４は、図１〜図３に示すように、吸収性本体５の長手方向（Ｙ方向）に長い長方形状を有している。表面シート２及び裏面シート３は、それぞれ、吸収体４の長手方向（Ｙ方向）に沿う左右両側縁及び長手方向（Ｙ方向）の前後両端縁から外方に延出している。表面シート２は、図１に示すように、その長手方向（Ｙ方向）の寸法が、裏面シート３の長手方向（Ｙ方向）の寸法と同じであるが、図３に示すように、その幅方向（Ｘ方向）の寸法が、裏面シート３の幅方向（Ｘ方向）の寸法より小さくなっている。表面シート２及び裏面シート３は、それぞれ、吸収体４の周縁から外方に延出した延出部において直接的に又は他の部材（尿とりパッド１０においては後述する立体ギャザー６を形成するサイドシート６１）を介在させ、接着剤又は熱融着等によって互いに接合されており、吸収体４を挟持・固定している。尚、吸収体４は、図３に示すように、パルプ繊維等の繊維の集合体に吸水性ポリマーの粒子を保持させてなる吸収性コア４１を、１枚のコアラップシート４２で被覆して形成されている。
【００１４】
また、第１実施形態の着用物品１００Ａの尿とりパッド１０では、図１，図３に示すように、吸収性本体５の肌対向面５ｕ側において、吸収性本体５の長手方向（Ｙ方向）に沿う両側部５ｓ，５ｓそれぞれに配設固定された撥水性のサイドシート６１を備え、サイドシート６１の自由端部６１ｆには、吸収性本体５の長手方向（Ｙ方向）に伸長状態の立体ギャザー形成用の弾性部材６２が配設固定されており、着用時には、立体ギャザー形成用の弾性部材６２の収縮力によって、サイドシート６１の自由端部６１ｆが起立して立体ギャザー６を形成する。言い換えれば、吸収性本体５の長手方向（Ｙ方向）に沿う両側部５ｓ，５ｓそれぞれには、吸収性本体５の肌対向面５ｕ側、即ち、表面シート２の肌対向面２ｕにおいて、Ｙ方向に伸長状態で固定された弾性部材６２を有するサイドシート６１が、表面シート２の両側部それぞれに、吸収性本体５の長手方向（Ｙ方向）の全長に亘って配され固定されており、これによって一対の立体ギャザー６，６が形成される。尚、尿とりパッド１０の吸収性本体５の長手方向（Ｙ方向）に沿う両側部５ｓ，５ｓそれぞれに、レッグギャザー形成用のレッグ弾性部材（不図示）を長手方向（Ｙ方向）に伸長状態に配し、該レッグ弾性部材（不図示）の収縮によりレッグギャザーが形成されるようにしてもよい。
【００１５】
第１実施形態の着用物品１００Ａの別シート２０は、図１〜図３に示すように、尿とりパッド１０の裏面シート３よりも非肌対向面側に配され、尿とりパッド１０及び使い捨ておむつ３０とは別体の独立したシートである。別シート２０は、第１実施形態においては、長手方向（Ｙ方向）に長い矩形状に形成されている。別シート２０は、体液の広がりを検知する際には、少なくとも股下領域Ｃに亘って配されていることが好ましく、第１実施形態の着用物品１００Ａにおいては、その外周縁が、尿とりパッド１０の外周縁よりも狭く、かつ、尿とりパッド１０の吸収体４の外周縁よりも狭く形成されている。詳述すると、別シート２０は、長手方向（Ｙ方向）においては、尿とりパッド１０の吸収体４の長手方向（Ｙ方向）の長さと略一致しており、幅方向（Ｘ方向）においては、尿とりパッド１０の吸収体４の幅方向（Ｘ方向）の長さよりも短く形成されている。
【００１６】
本発明の着用物品は、電極が、該着用物品を構成する複数のシートの内の１枚のシート表面に、体液が広がったときに相互に絶縁された状態を維持する少なくとも２つの区画において導電材料が塗布されることで形成され、結果として少なくとも２つの電極を形成している。各電極は、該１枚のシートに、導電材料を塗布して形成されており、相互にシート表面に配された導線（導電体）を介して接続された電極群を構成している。
第１実施形態の着用物品１００Ａにおいては、別シート２０が、着用物品を構成する複数のシートの内の「１枚のシート」に該当する。詳述すると、電極群ＥＴの各々は、体液の広がりを検知する際には、少なくとも股下領域Ｃに亘っており、Ｘ方向に広く２個〜３２個形成されていることが好ましく、更に好ましくは２個〜８個形成されていることが好ましい。第１実施形態の着用物品１００Ａにおいては、別シート２０の肌対向面２０ｕに、図２に示すように、股下領域Ｃの全域から腹側領域Ａ及び背側領域Ｂの一部に至るまで、４個の電極群ＥＴ１〜ＥＴ４が形成されている。電極群ＥＴ１〜ＥＴ４それぞれには、複数の電極２１が配され、複数の電極２１相互を接続する導電体である導線２２が配されている。このように各電極群は、複数の電極２１による列が形成されており、該電極の列が複数列（第１実施形態においては、４個の電極群ＥＴ１〜ＥＴ４に対応して４列）形成されることで、相互に絶縁された対となる電極とその間隙とで構成されるセンサー素子が別シート２０の肌対向面２０ｕの広い範囲で複数構成されている。尚、各センサー素子により、対となる電極間のインピーダンスの変化が検知される。センサー素子には、交流あるいは正か負一方の半波、矩形波、三角波等が印加されるので正確ではないが、以下では、便宜上、対となる電極の一方を正電極、他方を負電極と呼ぶ。
【００１７】
電極２１は、図２に示すように、別シート２０の長手方向（Ｙ方向）に２個〜５０個配されていることが好ましく、第１実施形態の着用物品１００Ａにおいては、８個配されている。Ｙ方向に隣り合う電極２１は、正電極、負電極、正電極・・・の順、或いは負電極、正電極、負電極・・・の順に配置されていて、７つのセンサー素子を構成している。また、電極２１は、別シート２０の幅方向（Ｘ方向）に１個〜１６個配されていることが好ましく、第１実施形態の着用物品１００Ａにおいては、２個配されている。このように配置されていることにより第１実施形態では、都合、１４のセンサー素子が構成されていることになる。Ｘ方向に隣り合う電極２１は、正電極に対して負電極、負電極に対して正電極の関係で配置されていてもよいが、第１実施形態の着用物品１００Ａにおいては、正電極に対して正電極、負電極に対して負電極の関係で配置されている。そして、正か負一方の半波、矩形波、三角波等が印加される場合には、一方の電極が接地されていてもよい。
【００１８】
詳述すると、第１実施形態の着用物品１００Ａにおいては、４個の電極群ＥＴ１〜ＥＴ４それぞれに、４個の電極２１が配されている。４個の電極群ＥＴ１〜ＥＴ４それぞれの複数の電極２１は、同形の矩形状に形成されており、同じ大きさに形成されている。電極群ＥＴ１〜ＥＴ４は、別シート２０の幅方向（Ｘ方向）に配されている。電極群ＥＴ１の４個の電極２１ａは、正電極であり、股下領域Ｃの全域から腹側領域Ａ及び背側領域Ｂの一部に至るまで、別シート２０の長手方向（Ｙ方向）に、等間隔を開けて配置されている。そして、電極群ＥＴ１の４個の電極２１ａは、各電極２１ａよりも幅方向（Ｘ方向）外側に配された直線状の導線２２ａを介して接続されている。また、電極群ＥＴ２の４個の電極２１ｂは、負電極であり、股下領域Ｃの全域から腹側領域Ａ及び背側領域Ｂの一部に至るまで、別シート２０の幅方向（Ｘ方向）においては、電極群ＥＴ１と同じ位置にて、長手方向（Ｙ方向）においては、隣り合う電極群ＥＴ１の電極２１ａ，２１ａどうしの間に配置されている。そして、電極群ＥＴ２の４個の電極２１ｂは、各電極２１ｂよりも幅方向（Ｘ方向）内側（中心線ＣＬ寄り）に配された直線状の導線２２ｂを介して接続されている。
【００１９】
電極群ＥＴ３の４個の電極２１ｃは、正電極であり、股下領域Ｃの全域から腹側領域Ａ及び背側領域Ｂの一部に至るまで、別シート２０の幅方向（Ｘ方向）においては、電極群ＥＴ１から間隔を空けて、長手方向（Ｙ方向）に、等間隔を開けて配置されている。そして、電極群ＥＴ３の４個の電極２１ｃは、各電極２１ｃよりも幅方向（Ｘ方向）外側に配された直線状の導線２２ｃを介して接続されている。また、電極群ＥＴ４の４個の電極２１ｄは、負電極であり、股下領域Ｃの全域から腹側領域Ａ及び背側領域Ｂの一部に至るまで、別シート２０の幅方向（Ｘ方向）においては、電極群ＥＴ３と同じ位置にて、長手方向（Ｙ方向）においては、隣り合う電極群ＥＴ３の電極２１ｃ，２１ｃどうしの間に配置されている。そして、電極群ＥＴ４の４個の電極２１ｄは、各電極２１ｄよりも幅方向（Ｘ方向）内側（中心線ＣＬ寄り）に配された直線状の導線２２ｄを介して接続されている。
【００２０】
電極群ＥＴ１の矩形状の電極２１ａは、Ｙ方向の長さが１ｍｍ〜１００ｍｍ程度であり、Ｘ方向の長さが３ｍｍ〜１５０ｍｍ程度である。他の電極群ＥＴ２〜４の電極２１ｂ〜２１ｄについても同じである。
また、長手方向（Ｙ方向）に隣り合う電極群ＥＴ１の電極２１ａと電極群ＥＴ２の電極２１ｂとの間隔は１ｍｍ〜５０ｍｍ程度である。
尚、各電極２１の形状（デザイン）、大きさ、配置間隔は、上記実施形態に限定されるものではない。
【００２１】
電極群の各電極は、従来より着用物品に用いられている材質のシートに導電材料を塗布して形成されている。即ち、第１実施形態の着用物品１００Ａにおいては、４個の電極群ＥＴ１〜ＥＴ４それぞれの電極が、別シート２０の肌対向面２０ｕに導電材料を塗布して形成されている。詳述すると、先ず、図２，図４に示すように、Ｙ方向に延びる矩形状の別シート２０の肌対向面２０ｕにおける、全電極を形成する予定領域よりも広い領域に、絶縁性インクを印刷により塗布して、Ｙ方向に長い矩形状の下部絶縁層２５を形成する。絶縁性インクとしては、アクリル系樹脂、ウレタン系樹脂、エポキシ系樹脂、ポリイミド系樹脂、ポリエチレン系樹脂等が挙げられる。
【００２２】
次に、下部絶縁層２５の肌対向面に、導電材料からなるインクを印刷により塗布して、電極２１及び導線２２を形成する。即ち、電極群ＥＴ１の４個の電極２１ａ、電極群ＥＴ２の４個の電極２１ｂ、電極群ＥＴ３の４個の電極２１ｃ、及び電極群ＥＴ４の４個の電極２１ｄ、並びに電極群ＥＴ１の導線２２ａ、電極群ＥＴ２の導線２２ｂ、電極群ＥＴ３の導線２２ｃ、及び電極群ＥＴ４の導線２２ｄを下部絶縁層２５の外周縁の範囲内に印刷する。インクの導電材料としては、カーボン粉末を主成分とするもの、或いは銀や銅等の金属の粉末を配合したものが挙げられ、価格（安価であること）や金属ではないが故の金属探知機や防犯ゲート等の誤作動防止の観点からカーボン粉末を主成分とするものが好ましく用いられる。導電材料からなるインクとしては、カーボンナノチューブ、分散剤、バインダ、樹脂、硬化剤等を混ぜた混合物が挙げられる。尚、電極２１の導電材料と導線２２の導電材料とは同一であるのが好ましいが、異なっていてもよい。異なる場合は、導電材料からなるインクを印刷により塗布して電極２１を形成した後、異なる導電材料からなるインクを印刷により塗布して導線２２を形成したり、導電材料からなるインクを印刷により塗布して導線２２を形成した後、異なる導電材料からなるインクを印刷により塗布して電極２１を形成したりすることで形成できる。導電材料が同一の場合でも同様に形成することができる。
【００２３】
導電材料からなるインクを印刷により塗布して電極２１を形成する際には、１回だけの印刷でもよいが、体液排出検出感度の観点から、複数回重ねて印刷してもよい。重ねて印刷する回数としては、１回〜１０回が好ましい。
【００２４】
次いで、各導線２２を覆うように、各導線２２の肌対向面に、絶縁性インクを印刷により塗布して、上部絶縁層２６を形成する。上部絶縁層２６の絶縁性インクとしては、下部絶縁層２５の絶縁性インクと同じインクを用いることができる。第１実施形態の着用物品１００Ａにおいては、全電極２１及び全導線２２の非肌対向面に下部絶縁層２５と、全導線２２の肌対向面に上部絶縁層２６とを配置している。
【００２５】
また、各電極群は、電子機器に接続するための端子にそれぞれ接続されている。具体的には、電極群を有する別シート２０の腹側領域Ａにおいて、電極群ＥＴ１の電極２１ａ、２１ａ・・・を接続する導線２２ａと電極群ＥＴ３の電極２１ｃ、２１ｃ・・・を接続する導線２２ｃとが端子２３を介して連続している。すなわち、電極群ＥＴ１及び電極群ＥＴ３が端子２３に接続されている。また、電極群を有する別シート２０の腹側領域Ａにおいて、電極群ＥＴ２の電極２１ｂ、２１ｂ・・・を接続する導線２２ｂ、２２ｂ・・・と電極群ＥＴ４の電極２１ｄ、２１ｄ・・・を接続する導線２２ｄとは端子２４を介して連続している。すなわち、電極群ＥＴ２及び電極群ＥＴ４が端子２４に接続されている。端子２３，２４としては、金属製のコネクター又は導電性を有するスナップ、ファスナー、面ファスナー（マジックテープ（登録商標）等）、ねじ、フック、噛み込み式の留め具等の任意の協働する雌雄部材が挙げられ、第１実施形態の着用物品１００Ａにおいては、金属製のスナップが用いられている。この金属製のスナップを介して、電極群を有する別シート２０の腹側領域Ａには、電子機器であるデータ収集手段２７が固定されるようになる。端子２３又は２４が雌雄部材でない場合には導電性を有する端子をクリップ、ステープラ、ひも、カニカン、ヒキワ等の留め金、導電性接着剤、導電性両面着テープ、熱、導電性繊維・糸等を用いて結ぶ、引っ掛ける、縫い付ける等の方法により接続することもできる。端子の位置は腹側に限定されるものではなく、別シート２０上になくてもよい。
【００２６】
インクを塗布する別シート２０には、従来より着用物品に用いられている材質のものを用い、具体的には、スパンボンド，スパンレース，エアースルー等の不織布、織物，編み物等の布、プラスチック製のフィルム等が挙げられる。尚、別シート２０として、スパンボンド不織布を用いる際には、その坪量が、好ましくは５ｇ／ｍ2以上１００ｇ／ｍ2以下、更に好ましくは１０ｇ／ｍ2以上８０ｇ／ｍ2以下である。
【００２７】
インクを塗布する印刷としては、インクジェットプリント、ロータリープリント、フレキソ印刷、スクリーン印刷、グラビア印刷等が挙げられる。
【００２８】
以上のように、複数の電極群ＥＴ１〜ＥＴ４を有する別シート２０は、インクを塗布して形成されているので、柔らかく形成されており、該シートのＭＤ方向の曲げ剛性値が、好ましくは１０ｇ以上８０ｇ以下、更に好ましくは１５ｇ以上６０ｇ以下であり、該シートのＣＤ方向の曲げ剛性値が、好ましくは５ｇ以上６０ｇ以下、更に好ましくは１０ｇ以上４０ｇ以下である。曲げ剛性値は、ハンドロメーター、テーバーテスター、或いはＫＥＳ曲げ試験機等によっても測定することができる。尚、ＭＤ方向とは、不織布等製造時の機械方向（流れ方向）、ＣＤ方向とは、不織布等製造時の機械方向に直交する方向を意味する。測定試料は、ＭＤ方向長さ１７ｃｍ、ＣＤ方向８ｃｍから９ｃｍで測定した。
【００２９】
また、複数の電極群ＥＴ１〜ＥＴ４を有する別シート２０は、原料の別シート２０が通気性を有している場合には、その通気度が、好ましくは１０μｍ／Ｐａ・ｓ以上１５００ｍ／ｋＰａ・ｓ以下であり、更に好ましくは２０μｍ／Ｐａ・ｓ以上８００ｍ／ｋＰａ・ｓ以下である。
通気度は、カトーテック製ＡＵＴＯＭＡＴＩＣ  ＡＩＲ−ＰＥＲＭＥＡＢＩＬＩＴＹ  ＴＥＳＴＥＲ  ＫＥＳ−Ｆ８−ＡＰ１（通気性試験機）により通気抵抗を測定し、その逆数として求められる。通気性の小さいものは、ガレーデンソーメーターの測定値より求めても良い。
【００３０】
以上のようにインクを塗布して各々４個の電極２１を有する４個の電極群ＥＴ１〜ＥＴ４が別シート２０の肌対向面２０ｕに形成されているので、複数のセンサー素子が別シート２０の肌対向面２０ｕに構成されるようになる。そして、各センサー素子により、電極群ＥＴ１の電極２１ａ（正電極）と電極群ＥＴ２の電極２１ｂ（負電極）との間のインピーダンスの変化、電極群ＥＴ３の電極２１ｃ（正電極）と電極群ＥＴ４の電極２１ｄ（負電極）との間のインピーダンスの変化、電極群ＥＴ１の電極２１ａ（正電極）と電極群ＥＴ４の電極２１ｄ（負電極）との間のインピーダンスの変化、及び電極群ＥＴ３の電極２１ｃ（正電極）と電極群ＥＴ２の電極２１ｂ（負電極）との間のインピーダンスの変化を測定し、該インピーダンスの変化に基づいて例えば尿等の体液の広がりを検知する。例えば尿等の体液の広がりは、別シート２０に固定されたデータ収集手段２７で収集されたデータを用いて情報処理手段２８により算出される。以下、データ収集手段２７及び情報処理手段２８について詳述する。
【００３１】
データ収集手段２７は、図５に示すように、電圧制御手段２７１、加速度センサー２７２及びデータロガー２７３を備えている。
電圧制御手段２７１は、別シート２０に形成された電極の回路全体に、例えば４００ｋＨｚ〜７００ｋＨｚの矩形波の電圧を印加し、センサー素子を構成する電極２１間のインピーダンス変化を検知する。そして、電圧制御手段２７１は、単位時間ごとの電極間のインピーダンス変化を電圧値の出力に変換し、データロガー２７３に単位時間毎に出力して保存する。単位時間は、０．１〜６０秒が好ましく、０．２〜２０秒がさらに好ましい。
【００３２】
加速度センサー２７２は、使用者の変位によるＸ方向、Ｙ方向、Ｚ方向の加速度をそれぞれ検出（収集）し、検出結果をデータロガー２７３に出力して保存する。
【００３３】
データロガー２７３は、電圧制御手段２７１及び加速度センサー２７２から取得したデータを保存する電子計測器である。データロガー２７３は、情報処理手段２８からの要求に応じて、または、情報処理手段２８に接続されたことを検知すると、保存しているデータを情報処理手段２８に転送する。
【００３４】
情報処理手段２８は、例えば、コンピューターであって、ＣＰＵ（Central Processing Unit）、ＲＯＭ（Read Only Memory）、ＲＡＭ（Random Access Memory）、ＨＤＤ（Hard Disk Drive）等を有しており、図６に示すように、データ取得手段２８１、体液排出量演算手段２８２、体液排出時刻演算手段２８３、及び体液排出速度演算手段２８４で構成されている。
【００３５】
データ取得手段２８１は、データ収集手段２７とケーブルを介して接続されると、データ収集手段２７のデータロガー２７３に保存されているデータを取得し、体液排出量演算手段２８２、及び体液排出時刻演算手段２８３に供給し、それらの演算結果を体液排出速度演算手段２８４に供給する。
【００３６】
体液排出量演算手段２８２は、データ取得手段２８１から取得したデータに基づいて、体液排出量を計算する。体液排出時刻演算手段２８３は、データ取得手段２８１から取得したデータに基づいて、体液排出時刻を計算する。体液排出速度演算手段２８４は体液排出量演算手段２８２から取得したデータと体液排出時刻演算手段２８３から取得したデータに基づいて、体液排出速度を計算する。
【００３７】
以上のように構成された電極を有する別シート２０、データ収集手段２７及び情報処理手段２８によれば、データ収集手段２７で収集されたデータを取得し、情報処理手段２８により体液の広がりの要素である体液排出量、体液排出時刻、及び体液排出速度を算出できる。
【００３８】
次に、尿とりパッド１０の非肌対向面側に重ねて配される使い捨ておむつ３０について詳述する。
使い捨ておむつ３０は、図１に示すように、尿とりパッド１０が取り付けられるおむつの表面シート３２と、最も非肌対向面側に配されたおむつの裏面シート３３と、これら両シート３２，３３間に配されたおむつの吸収体３４とを有している。また、使い捨ておむつ３０は、おむつの吸収体３４の幅方向（Ｘ方向）外方に、レッグギャザー形成用のおむつレッグ弾性部材（不図示）を長手方向（Ｙ方向）に伸長状態に配し、該おむつレッグ弾性部材（不図示）の収縮によりおむつのレッグギャザー３５が形成されている。
【００３９】
おむつの吸収体３４は、図１に示すように、例えば、使い捨ておむつ３０の肌対向面（内側）に重ねて使用される尿とりパッド１０よりも広く、腹側領域Ａの左右両側縁及び背側領域Ｂの左右両側縁それぞれが股下領域Ｃの左右両側縁よりも幅方向（Ｘ方向）外方に延出している。そして、股下領域Ｃの左右両側縁が幅方向（Ｘ方向）内方に向かって円弧状に湾曲しており、全体として長手方向（Ｙ方向）中央部が内方に括れた形状を有している。尚、おむつの吸収体３４は、尿とりパッド１０の吸収体４と同様に、パルプ繊維等の繊維の集合体に吸水性ポリマーの粒子を保持させてなる吸収性コアを、１枚のコアラップシートで被覆して形成されている。
【００４０】
おむつの表面シート３２及びおむつの裏面シート３３は、それぞれ、おむつの吸収体３４の長手方向（Ｙ方向）に沿う左右両側縁及び長手方向（Ｙ方向）の前後両端縁から外方に延出しており、おむつの吸収体３４の周縁から外方に延出した延出部において直接的に接着剤又は熱融着等によって互いに接合されており、おむつの吸収体３４を挟持・固定している。
【００４１】
以上のように形成された使い捨ておむつ３０は、図１に示すように、全体として長手方向（Ｙ方向）中央部が内方に括れた形状を有している。使い捨ておむつ３０は、いわゆる展開型のおむつであり、背側領域Ｂの左右両側縁部に二対のファスニングテープ３６，３６が設けられ、腹側領域Ａの外表面（非肌対向面）に、該ファスニングテープ３６，３６を止着させるランディングテープ（不図示）が設けられている。
【００４２】
第１実施形態の着用物品１００Ａの備える尿とりパッド１０及び使い捨ておむつ３０の形成材料について説明する。
尿とりパッド１０の表面シート２及び使い捨ておむつ３０のおむつの表面シート３２、並びに尿とりパッド１０の吸収体４及び使い捨ておむつ３０のおむつの吸収体３４としては、それぞれ、従来、使い捨ておむつ、生理用ナプキン等の吸収性物品に用いられるもの等を、特に制限なく用いることができる。例えば、表面シート２及びおむつの表面シート３２としては、親水性且つ液透過性の不織布や立体開孔フィルム等を用いることができる。また、吸収体４を構成する吸収性コア４１及びおむつの吸収体３４を構成する吸収性コアとしては、パルプ繊維等の繊維の集合体に吸収ポリマーの粒子を保持させたもの等を用いることができ、吸収体４を構成するコアラップシート４２及びおむつの吸収体３４を構成するコアラップシートとしては、親水性シート、例えば、透水性の薄紙（ティッシュペーパー）や透水性の不織布からなるコアラップシート等を用いることができる。尚、立体ギャザー６を構成する撥水性のサイドシート６１としては、不織布、織物又は不織布とフィルムの積層シート等を用いることができる。
【００４３】
また、尿とりパッド１０の裏面シート３及び使い捨ておむつ３０のおむつの裏面シート３３としては、液難透過性（撥水性を含む）の樹脂フィルム、或いは該樹脂フィルムに、各種製法による不織布（例えば、エアースルー不織布、スパンボンド不織布、スパンレース不織布、ニードルパンチ不織布等）を積層したシート等を用いることができる。ここで、液難透過性とは、液不透過性を含む。液難透過性の裏面シートが吸収体４と電極との間にあるので、体液が広がったときも電極は相互に絶縁された状態を維持する。従来の直接体液と接することにより体液排出を検知する電極を有する電極群は、その性質上、尿とりパッドの裏面シートよりも肌対向面側の例えば吸収体内に配置せざるを得ず、該パッドごとに使い捨てる必要があったが、着用物品１００Ａの備える電極を有する別シート２０は、電極が直接尿に接しなくても、電極からの電気力線は電極の面から吸収体の中を経由して他の電極に戻り、結果として体液による吸収体のインピーダンス変化を捉えることができるので、排尿を検知することができる。そのため電極を有する別シート２０は、尿とりパッドの裏面シートよりも非肌対向面側に配することができ、体液で濡らし難く、衛生的に繰り返し使用が可能となる。
【００４４】
また、尿とりパッド１０及び使い捨ておむつ３０を構成する部材同士は、接着剤或いは熱融着等を利用して固定することができる。接着剤としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。熱融着としては、使い捨ておむつ等の吸収性物品に用いられるものであれば、特に制限なく用いることができ、例えば、高周波シール、超音波シールを用いることができる。
【００４５】
尿とりパッド１０の立体ギャザー形成用の弾性部材６２及び使い捨ておむつ３０のレッグギャザー３５形成用のおむつレッグ弾性部材（不図示）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００４６】
上述した本発明の第１実施形態の着用物品１００Ａを使用した際の作用効果について説明する。
第１実施形態の着用物品１００Ａは、図１に示すように、尿とりパッド１０と使い捨ておむつ３０との間に、電極群ＥＴ１〜ＥＴ４を有する別シート２０を、電極群ＥＴ１〜ＥＴ４側が尿とりパッド１０に接するように配置して使用される。このように配置されて使用されることにより、使い捨ておむつ３０が電極群ＥＴ１〜ＥＴ４を有する別シート２０及び尿取りパット１０を押圧し、尿取りパット１０が装着者に接触して、電極群ＥＴ１〜ＥＴ４を有する別シート２０が、使い捨ておむつ３０及び尿取りパット１０の間で固定されるようになる。そして、着用物品１００Ａ内に、例えば排尿があって尿とりパッド１０に体液が吸収されると、体液排出があった部位に対応する電極群ＥＴ１〜ＥＴ４を有する別シート２０のセンサー素子のインピーダンスが大幅に変化する。即ち、体液排出が多量で広い範囲に広がると、電極群ＥＴ１〜ＥＴ４におけるかなりの数のセンサー素子のインピーダンスが大幅に変化する。そして、データ収集手段２７の電圧制御手段２７１が、複数のセンサー素子のインピーダンスの変化の総量の電圧信号を出力し、情報処理手段２８により体液の広がりの要素である体液排出量、体液排出時刻、及び体液排出速度を精度良く検知できる。
【００４７】
また、第１実施形態の着用物品１００Ａは、複数の電極群ＥＴ１〜ＥＴ４を有する別シート２０がインクを塗布して形成されているので、柔らかく形成されている。その為、尿とりパッド１０と使い捨ておむつ３０との間に、電極群ＥＴ１〜ＥＴ４を有する別シート２０を配置して使用しても、違和感が少なく、使用感が向上する。
【００４８】
また、第１実施形態の着用物品１００Ａは、複数の電極群ＥＴ１〜ＥＴ４を有する別シート２０がインクを塗布して形成されているので、通気性が保持されている。その為、尿とりパッド１０と使い捨ておむつ３０との間に、電極群ＥＴ１〜ＥＴ４を有する別シート２０を配置して使用しても、通気性が妨げられ難く、使用感が向上する。
【００４９】
また、第１実施形態の着用物品１００Ａは、電極２１及び導線２２が別シート２０に印刷によりインクを塗布して形成されているので、電極２１及び導線２２の形状、デザイン、色等を、自由に設計変更することができる。
【００５０】
次に、本発明の第２実施形態の着用物品１００Ｂについて説明する。第２実施形態の着用物品１００Ｂは、図７に示すように、尿とりパッド１０及び別個独立した別シート２０を有さず、使い捨ておむつ３０のみで形成されている。第２実施形態の着用物品１００Ｂについては、第１実施形態の着用物品１００Ａと異なる点について主として説明し、同様の点については同一の符号を付して説明を省略する。特に言及しない点については、第１実施形態の着用物品１００Ａに関する説明が適宜適用される。また、第２実施形態の着用物品１００Ｂの効果については、第１実施形態の着用物品１００Ａの効果と異なる点について説明し、特に説明しない点は、着用物品１００Ａの効果と同様であり、着用物品１００Ａの効果の説明が適宜適用される。
【００５１】
第２実施形態の着用物品１００Ｂは、上述したように、図７に示すように、使い捨ておむつ３０のみで形成されている。電極群が、着用物品１００Ｂを構成する複数のシートの内の１枚のシート表面に導電材料を塗布して形成された複数の電極からなる。第２実施形態の着用物品１００Ｂにおいては、図８に示すように、おむつの裏面シート３３が、着用物品を構成する複数のシートの内の「１枚のシート」に該当する。詳述すると、第２実施形態の着用物品１００Ｂにおいては、おむつの裏面シート３３は、樹脂フィルム３３１に不織布３３２を積層したシートであり、４個の電極群ＥＴ１〜ＥＴ４がおむつの裏面シート３３を構成する樹脂フィルム３３１の非肌対向面３３１ｄに形成されており、複数のセンサー素子がおむつの裏面シート３３の樹脂フィルム３３１の非肌対向面３３１ｄに構成されるようになる。そして、おむつの裏面シート３３の樹脂フィルム３３１の非肌対向面３３１ｄに形成された４個の電極群ＥＴ１〜ＥＴ４が不織布３３２で覆われている。
【００５２】
電極群は、第２実施形態の着用物品１００Ｂにおいては、４個の電極群ＥＴ１〜ＥＴ４それぞれが、樹脂フィルム３３１の非肌対向面３３１ｄに導電材料を塗布して形成された複数の電極からなる。詳述すると、第１実施形態の着用物品１００Ａのような下部絶縁層２５を形成せずに、直接、Ｙ方向に長いおむつの裏面シート３３を構成する樹脂フィルム３３１の非肌対向面３３１ｄに、導電材料からなるインクを印刷により塗布して、電極２１及び導線２２を形成する。即ち、電極群ＥＴ１の４個の電極２１ａ、電極群ＥＴ２の４個の電極２１ｂ、電極群ＥＴ３の４個の電極２１ｃ、及び電極群ＥＴ４の４個の電極２１ｄ、並びに電極群ＥＴ１の導線２２ａ、電極群ＥＴ２の導線２２ｂ、電極群ＥＴ３の導線２２ｃ、及び電極群ＥＴ４の導線２２ｄを、樹脂フィルム３３１の非肌対向面３３１ｄに印刷する。
【００５３】
次いで、おむつの裏面シート３３を構成する不織布３３２により電極群ＥＴ１〜ＥＴ４の全域を覆うように、樹脂フィルム３３１及び不織布３３２を固定して積層シートを形成する。尚、第２実施形態の着用物品１００Ｂにおいては、各導線２２の肌対向面に、上部絶縁層２６は形成されていない。
【００５４】
また、第２実施形態の着用物品１００Ｂである使い捨ておむつ３０は、図７，図９に示すように、使い捨ておむつ３０の長手方向（Ｙ方向）に沿う両側部それぞれに配設固定された撥水性のサイドシート３７を備え、サイドシート３７の自由端部３７ｆには、長手方向（Ｙ方向）に伸長状態の立体ギャザー形成用の弾性部材３８が配設固定されており、着用時には、立体ギャザー形成用の弾性部材３８の収縮力によって、サイドシート３７の自由端部３７ｆが起立して立体ギャザー３９を形成する。言い換えれば、使い捨ておむつ３０の長手方向（Ｙ方向）に沿う両側部それぞれには、使い捨ておむつ３０の肌対向面側、即ち、おむつの表面シート３２の肌対向面において、Ｙ方向に伸長状態で固定された弾性部材３８を有するサイドシート３７が、おむつの表面シート３２の両側部それぞれに、長手方向（Ｙ方向）の全長に亘って配され固定されており、これによって一対の立体ギャザー３９，３９が形成される。
【００５５】
サイドシート３７としては、第１実施形態の着用物品１００Ａの備える立体ギャザー６を構成する撥水性のサイドシート６１と同じ形成材料を用いることができる。また、立体ギャザー形成用の弾性部材３８としては、第１実施形態の着用物品１００Ａの備える立体ギャザー６を構成する立体ギャザー形成用の弾性部材６２と同じ形成材料を用いることができる。
【００５６】
第２実施形態の着用物品１００Ｂの効果については、着用物品１００Ａの効果と同様の効果を奏すると共に、更に、４個の電極群ＥＴ１〜ＥＴ４それぞれが、樹脂フィルム３３１の非肌対向面３３１ｄに直接形成されているので、排出体液検出の感度が良いものを安価に製作することができる等の効果を奏する。
【００５７】
本発明の着用物品は、上述の第１〜第２実施形態の着用物品１００Ａ〜１００Ｂに何ら制限されるものではなく、適宜変更可能である。また、上述の第１〜第２実施形態の着用物品１００Ａ〜１００Ｂにおける各構成要件は、本発明の趣旨を損なわない範囲で、適宜組み合わせて実施できる。
【００５８】
例えば、上述した着用物品１００Ａは、図１に示すように、尿とりパッド１０と使い捨ておむつ３０との間に、電極群ＥＴ１〜ＥＴ４を有する別シート２０を配置して使用されているが、使い捨ておむつ３０に換えて、ブリーフ，ショーツ、ガードル、紙パンツ、リハビリパンツ等の下着等、尿とりパッド１０と別シート２０を人体に固定できるものを用いてもよい。
【００５９】
また、上述した着用物品１００Ａにおいては、尿とりパッド１０、別シート２０及び使い捨ておむつ３０の内の別シート２０が、着用物品を構成する複数のシートの内の「１枚のシート」に該当し、上述した着用物品１００Ｂにおいては、使い捨ておむつ３０のおむつの裏面シート３３が、着用物品を構成する複数のシートの内の「１枚のシート」に該当しているが、それに限るものではない。具体的には、着用物品を構成する複数のシートの内の「１枚のシート」としては、尿とりパッド１０を構成する表面シート２、裏面シート３、吸収体４のコアラップシート４２、若しくは立体ギャザー６のサイドシート６１、又は、使い捨ておむつ３０を構成するおむつの表面シート３２、おむつの裏面シート３３、おむつの吸収体３４を構成するコアラップシート、若しくは立体ギャザー３９のサイドシート３７が挙げられる。体液に触れる場所に配置するときはシートに直接体液が触れないように肌対抗面に絶縁層や防水層を設けることが好ましい。尚、「１枚のシート」としては、電極群ＥＴの汚れ防止の観点から、尿とりパッド１０の液難透過性の裏面シート３よりも非肌対向面側に配される、別シート２０、使い捨ておむつ３０を構成するおむつの表面シート３２、おむつの裏面シート３３が好ましい。
【００６０】
また、上述した着用物品１００Ａの第１実施形態においては、別シート２０は矩形状に形成されているが、別シート２０の形状は、矩形状に限定されるものではない。
【００６１】
また、上述した着用物品１００Ａにおいては、別シート２０の肌対向面２０ｕに電極群が形成されているが、別シート２０の非肌対向面に形成されていてもよい。また、上述した着用物品１００Ｂにおいては、使い捨ておむつ３０のおむつの裏面シート３３の樹脂フィルム３３１の非肌対向面３３１ｄに電極群が形成されているが、樹脂フィルム３３１の肌対向面、裏面シート３３の不織布３３２の肌対向面、又は該不織布３３２の非肌対向面に形成されていてもよい。
【００６２】
また、上述した着用物品１００Ａにおいては、各導線２２を覆うように、各導線２２の肌対向面に、絶縁性インクを印刷により塗布して、上部絶縁層２６を形成しているが、絶縁性インクを印刷により塗布する範囲を電極２１も覆うように広げることもできる。また、上部絶縁層２６は必ずしも絶縁性インクを塗布して形成する必要はなく、絶縁シートを張り付けるなどで各導線２２あるいは電極２１を覆うようにしてもよいし、各導線２２を、絶縁体で周囲を包んだいわゆる被覆電線とし、電極２１のみを覆うように絶縁層を形成してもよい。
【００６３】
また、上述した着用物品１００Ａにおいては、尿とりパッド１０、別シート２０及び使い捨ておむつ３０を備え、上述した着用物品１００Ｂにおいては、使い捨ておむつ３０を備えているが、尿とりパッド１０及び使い捨ておむつ３０の替わりに、生理用ナプキン等の他の吸収性物品であってもよい。従って、本発明の着用物品は、尿以外の、例えば経血等の体液の広がりを検知することもできる。
【００６４】
また、本発明の着用物品は、成人用又は乳幼児の着用物品であってもよい。
【符号の説明】
【００６５】
１００Ａ，１００Ｂ  着用物品
１０  尿とりパッド
２  表面シート
３  裏面シート
４  吸収体
４１  吸収性コア
４２  コアラップシート
５  吸収性本体
６  立体ギャザー
６１  サイドシート
２０  別シート
ＥＴ  電極群
２１  電極
２２  導線
２３，２４  端子
２５  下部絶縁層
２６  上部絶縁層
２７  データ収集手段
２８  情報処理手段
３０  使い捨ておむつ
３２  おむつの表面シート
３３  おむつの裏面シート
３４  おむつの吸収体
３６  ファスニングテープ
３７  サイドシート
３８  弾性部材
３９  立体ギャザー
Ａ  背側領域、Ｂ  腹側領域、Ｃ  股下領域
【図１】
2018038877.tif 000003
【図２】
2018038877.tif 000004
【図３】
2018038877.tif 000005
【図４】
2018038877.tif 000006
【図５】
2018038877.tif 000007
【図６】
2018038877.tif 000008
【図７】
2018038877.tif 000009
【図８】
2018038877.tif 000010
【図９】
2018038877.tif 000011